(57)【要約】      （修正有）【課題】持ち運びに便利で、且つ、趣味性に富んだ団扇を提供する。【解決手段】本回転畳み式団扇は、片側１ａ，２ａが丸く他方側１ｂ，２ｂが尖った楕円形で、略同一形の２枚の紙片１，２を、その一部分を重ね合わせたときハート型を形成するように合わせ、そのハート型１，２の略中心に回転軸３を設け、回転によって尖った部分を重ね合わせたときハート型となり逆方向に回転したとき尖った部分の一方が鳥のクチバシに他方が鳥の形態になることを特徴とする。【選択図】図３
0003156890.tif 000002
【実用新案登録請求の範囲】
【請求項１】
片側が丸く他方側が尖った楕円形で、略同一形状の2枚の紙片を、その一部分を重ね合わせたときハート型を形成するように合わせ、そのハート型の略中心に回転軸を設け、回転によって尖った部分を重ね合わせたときハート型となり逆方向に回転したとき尖った部分の一方が鳥のクチバシに他方が鳥の尾の形態になることを特徴とする回転畳み式団扇。
【考案の詳細な説明】
【技術分野】
【０００１】
本考案は、回転させて広げたときハート型になり、逆回転させて畳んだとき鳥の形となる畳み式で持ち運びに便利な団扇に関するものである。
【背景技術】
【０００２】
夏が近づくと団扇が欲しくなるが、従来の団扇は、取っ手の先に約30ｃｍ程度の丸型の本体が一体となって付いている。
これは大きくてカバンやバッグに入らず持ち運びに不便である。又、形態も多くは竹製の取っ手の先を分割させて円形の本体をつくるだけである。
そこで、従来次のような団扇が提案されている。                                  
一つ目に、特開平１１−２９０１０９号「柄付扇子」が出願され、その内容は、柄の先に２枚の扇ぎ葉を設け、互いを鳩目で固定し、２枚の扇ぎ葉を広げる方向に回転させることで団扇として用い、畳む方向に回転させることで縮小させて持ち運びに便利なものとしている。
しかし、この提案では、柄と２枚の扇ぎ葉という３つの要素が必要なので、畳んでもあまり小さくならず、持ち運びには未だ大きく、又、厚みもあって不便である。且つ、畳み込み可能なだけであって、造形的な面白みに欠けるものである。
二つ目に、登録実用新案第３０６２９６０号「うちわ」が登録され、その内容は、把手の先に送風ボードを回転可能に設け、更に、その送風ボードに複数の補助ボードを回転可能に取り付けて、補助ボードの回転で広い広告面を得ると共に、送風量を加減させるものである。
しかし、これでは、補助ボードを付けた分だけ、大きさが大きくなると共に、重くなって持ち運びにも不便である。又、広告宣伝用なので、宣伝効果はあっても趣味な面白さに欠けるものである。
【先行技術文献】
【特許文献】
【０００３】
【特許文献１】特開平１１−２９０１０９号公報
【特許文献２】登録実用新案第３０６２９６０号公報
【考案の開示】
【考案が解決しようとする課題】
【０００４】
そこで本案は、持ち運びに便利であると共に、例えば若い女性や子供などが使って楽しい趣味性に富んだ団扇を提供するものである。
【課題を解決するための手段】
【０００５】
本考案回転畳み式団扇は、片側が丸く他方側が尖った楕円形で、略同一形状の２枚の紙片を、その一部分を重ね合わせたときハート型を形成するように合わせ、そのハート型の略中心に回転軸を設け、回転によって尖った部分を重ね合わせたときハート型となり逆方向に回転したとき尖った部分の一方が鳥のクチバシに他方が鳥の尾の形態になることを特徴とするものである。
【考案の効果】
【０００６】
本考案団扇は、片側が丸く他方側が尖った楕円形の２枚の紙片を回転軸を中心に広げる方向に回転させるとハート型となり、尖った部分を手でつかんで扇ぐと風を起して団扇として用いることができる。
団扇として用いた後、回転軸を中心に前とは逆方向に回転させると２枚の紙片が重なり、小さくなり、持ち運びに便利となる。
又、２枚の紙片を広げたときハート型となるので、若い女性や子供らにとって愛らしい形状となって、扇ぎながらも楽しいものとなる。
使用後には、２枚の紙片を畳み込むと、尖った部分の一方が鳥の嘴となり、他方が鳥の尾の形態となり、全体で鳥の形となるので、単なる便利さだけでなく、持っていて楽しいものとなる。
【考案を実施するための最良の形態】
【０００７】
片側が丸く他方側が尖った楕円形の略同一形状の紙片を２枚形成し、その略中心に
回転軸を設け、重ね合わせたときハート型となるようにする。同様に、回転軸を中心に逆方向に回転したとき、尖った部分の一方が鳥のクチバシに似て、他方が鳥の尾の形に似ている形態となる。
【実施例】
【０００８】
以下、添付図面に従って一実施例を説明する。
１は片側が丸く他方側が尖った楕円形の紙片である。２も同様の紙片である。紙片は扇いで風を起すことのできる厚みと強度を備えたもので例えば0.5ｍｍ厚の紙片とし、材質は紙が一般的であるがプラスチックでもよい。
この楕円形の紙片１,２は一部を重ね合わせたときハート型を形成するよう合わせ
て、そのハート型の略中心の回転軸３は、例えば鳩目とする。
紙片１の片側1aを丸くし、他方側1bを尖った形状とする。同様に紙片２の片側2aを丸く、他方側2bを尖った形状とする。その図面上左側と図面上右側を重ね合わせて、２枚の 紙片１,２を回転軸３で回転可能に固定する。
又、図４に示すように、紙片1の片側1b又片側2bの尖った形状の近くに切り込み1cを刻んでも良い。
【０００９】
又、２枚の紙片１,２を回転軸３で回転させると、図２のように更に紙片１,２が重なり合ってよりコンパクトな形態となる。
このとき、紙片１より図面上左側に突び出した紙片２の2b部分に着色すると、その尖った着色部分が鳥のクチバシを表すものとなる。表側の紙片１の丸くした方(図面左側)に鳥の眠った目及びマツ毛を描き、中央部から尖った方(図面右側)に翼と、尖り部先端には尾を描く。
【００１０】
上記紙片１,２を裏返したときには、そのまま無地でも良いが、紙片１,２を逆にして、紙片２より突び出した紙片１の1b部分に着色してクチバシを表し、紙片２に鳥のパッチリと見開いた可愛い目を描いても良い。
【００１１】
使い方を説明すると、紙片１,２を回転軸３を中心に広げる方向に回転させると、図１のように、ハート型となる。このとき、図４に示すように切り込み1cを設けておくと、紙片１,２が噛み合ってしっかり固定される。そこで、尖った部分1b,2bを手でつかんで扇ぐと、つかんだ部分1b,2bと回転軸３で固定され、風を起して団扇となる。女性が用いる団扇として、可愛らしさが出る。子供に向けて扇いでやれば面白がる。
【００１２】
次に、使い終わってしまう場合には、紙片１,２を回転軸３を中心に逆方向に回転させると、紙片１,２が重なり合ってより小さなコンパクトな形態となる。
そして、先端がクチバシで、中心部に眠った目及び翼、末端に尾が描かれた鳥が現れ、ながめてホッとし、癒される感じが得られる。
【００１３】
裏側に、パッチリと見開いた目を描いておくと、活動的な姿から、元気が出て、希望が湧いてくる。
【００１４】
このように、本案団扇は、回転させて広げるとハート型となり、団扇として使用でき、逆方向に回転させると紙片１,２が畳まれコンパクトとなって持ち運びに便利となる。同時に、ハート型と鳥の眠った姿等が表現でき、持って楽しい、趣味性に富んだ団扇となる。
【産業上の利用可能性】
【００１５】
本考案は、回転によって畳み込み可能で携帯用の団扇として利用でき、主に若い女性や子供等に適しているが、大人一般にも利用できる。又、薄型なので本に挟み栞としても利用できる。更に、紙片にメッセージ等を書き込む、或いは貼ることにより、クリスマスカード等のメッセージの為のカードとしても利用できる。
【図面の簡単な説明】
【００１６】
【図１】本案団扇の広げた状態の正面図。
【図２】本案団扇を畳んだ状態の正面図。
【図３】本案団扇を畳んだときに尖り部を着色し、胴体に鳥の目及び翼を描いた状態の正面図。
【図４】本案団扇に切り込みを設けた場合の正面図。
【符号の説明】
【００１７】
１・・・紙片
1a・・・片側
1b・・・他方側
1c・・・切り込み
２・・・紙片
2a・・・片側
2b・・・他方側
３・・・回転軸
【図１】
0003156890.tif 000003
【図２】
0003156890.tif 000004
【図３】
0003156890.tif 000005
【図４】
0003156890.tif 000006